(57)【要約】【課題】留守中でも空き巣などの犯罪を未然に防ぐことのできる留守番装置を提供する。【解決手段】この留守番装置Ａは、リモコン照明器具ＸとテレビＹの操作コードａを記憶する記憶部１と、リモコン照明器具ＸとテレビＹの操作タイミングを知らせるタイミング信号ｂを出力する自動トリガ部２と、自動トリガ部２が出力したタイミング信号ｂが入力されると記憶部１に記憶していた操作コードａを出力する制御部３と、制御部３が出力した操作コードａが入力されると対応するリモコン照明器具Ｘ又はオーディオ器具Ｙの遠隔操作信号ｃを出力する遠隔操作部４と、制御部３へ確認信号ｄを出力する確認操作部５とからなり、自動トリガ部２は、明暗センサ２ａとランダムタイマ２ｂとスケジュール手段２ｃとを備え、不規則にタイミング信号を出力するものとした。【選択図】　　　　図１
2004062456.tif 000002
【特許請求の範囲】
【請求項１】
照明器具の操作コードを記憶する記憶部と、タイミング信号を不規則に出力する自動トリガ部と、前記自動トリガ部が出力した前記タイミング信号が入力されると前記記憶部に記憶していた前記操作コードを出力する制御部と、前記制御部が出力した前記操作コードが入力されると該操作コードに対応する前記照明器具の遠隔操作信号を出力する遠隔操作部とからなることを特徴とする留守番装置。
【請求項２】
オーディオ器具の操作コードを記憶する記憶部と、タイミング信号を不規則に出力する自動トリガ部と、前記自動トリガ部が出力した前記タイミング信号が入力されると前記記憶部に記憶していた前記操作コードを出力する制御部と、前記制御部が出力した前記操作コードが入力されると該操作コードに対応する前記オーディオ器具の遠隔操作信号を出力する遠隔操作部とからなることを特徴とする留守番装置。
【請求項３】
照明器具とオーディオ器具の操作コードを記憶する記憶部と、タイミング信号を不規則に出力する自動トリガ部と、前記自動トリガ部が出力した前記タイミング信号が入力されると前記記憶部に記憶していた前記操作コードを出力する制御部と、前記制御部が出力した前記操作コードが入力されると該操作コードに対応する前記照明器具又はオーディオ器具の遠隔操作信号を出力する遠隔操作部とからなることを特徴とする留守番装置。
【請求項４】
前記自動トリガ部は、周囲の明るさを検知する明暗センサを有し、明暗センサの出力に基づき前記タイミング信号を出力することを特徴とする請求項１乃至３の何れか記載の留守番装置。
【請求項５】
前記自動トリガ部は、不規則にタイマ出力を発生するランダムタイマを有し、ランダムタイマのタイマ出力に基づき前記タイミング信号を出力することを特徴とする請求項１乃至４の何れか記載の留守番装置。
【請求項６】
前記自動トリガ部は、電波による時刻情報を受信して自動的に時刻を修正する電波補正時計を有し、前記ランダムタイマの動作開始時刻を電波補正時計の時刻で指定して前記タイミング信号を出力することを特徴とする請求項５記載の留守番装置。
【請求項７】
前記自動トリガ部は、予め設定されたスケジュールに基づき前記タイミング信号を出力するスケジュール手段を有し、前記明暗センサの出力に基づき前記スケジュールを動作させることを特徴とする請求項４記載の留守番装置。
【請求項８】
前記自動トリガ部は、予め設定されたスケジュールに基づき前記タイミング信号を出力するスケジュール手段を有し、前記ランダムタイマの出力に基づき前記スケジュールを動作させることを特徴とする請求項５記載の留守番装置。
【請求項９】
前記自動トリガ部は、予め設定されたスケジュールに基づき前記タイミング信号を出力するスケジュール手段を有し、前記電波補正時計と前記ランダムタイマを用いた出力に基づき前記スケジュールを動作させることを特徴とする請求項６記載の留守番装置。
【請求項１０】
前記明暗センサを留守番装置本体の上面に設けたことを特徴とする請求項４記載の留守番装置。
【請求項１１】
前記遠隔操作部は、留守番装置本体の側方向へ出力する赤外線ＬＥＤと上方向へ出力する赤外線ＬＥＤとからなることを特徴とする請求項１乃至３の何れか記載の留守番装置。
【請求項１２】
前記側方向へ出力する赤外線ＬＥＤの数よりも、前記上方向へ出力する赤外線ＬＥＤの数のほうが多いことを特徴とする請求項１１記載の留守番装置。
【請求項１３】
前記赤外線ＬＥＤの出力強度を切り替える切替え手段を設けたことを特徴とする請求項１１又は１２記載の留守番装置。
【請求項１４】
前記留守番装置は電池によって作動し、前記電池の残量を２段階以上の判定レベルで示す電池残量確認部を設けたことを特徴とする請求項１乃至３の何れか記載の留守番装置。
【請求項１５】
留守番装置の動作を確認する確認信号を前記制御部へ出力する確認操作部を設け、前記制御部は前記確認操作部からの確認信号が入力されると、前記記億部に記憶していた前記操作コードを前記遠隔操作部へ出力することを特徴とする請求項１乃至３の何れか記載の留守番装置。
【請求項１６】
前記制御部へ前記確認信号が入力されると前記自動トリガ部の動作も開始することを特徴とする請求項１５に記載の留守番装置。
【請求項１７】
前記操作コードは、電源オフとなる操作コードであることを特徴とする請求項１５記載の留守番装置。
【請求項１８】
前記制御部は、前記自動トリガ部の動作中は前記確認信号を受け付けない機能を有することを特徴とする請求項１５乃至１７の何れか記載の留守番装置。
【請求項１９】
前記照明器具に固定するための固定部を有し、前記照明器具に固定されて前記照明器具の明るさを検知して前記制御部へ送信する照明状態検知ユニットを備え、前記制御部は、前記照明状態検知ユニットの出力を基に前記照明器具の電源状態を把握する機能を有することを特徴とする請求項１又は３記載の留守番装置。
【請求項２０】
留守番装置本体を前記オーディオ器具に固定するための固定部と、前記オーディオ器具が発する音を集音し前記制御部へ出力する音声状態検知部とを備え、前記制御部は、前記音声状態検知の出力を基に前記オーディオ器具の電源状態を把握する機能を有することを特徴とする請求項２又は３記載の留守番装置。
【請求項２１】
前記オーディオ器具はテレビであり、留守番装置本体を前記テレビに固定するための固定部と、前記テレビ画面の明るさを検知し前記制御部へ出力する明暗状態検知部とを備え、前記制御部は、前記明暗状態検知部の出力を基に、前記テレビの電源状態を把握する機能を有することを特徴とする請求項２又は３記載の留守番装置。
【発明の詳細な説明】
【０００１】
【発明の属する技術分野】
本発明は、留守中の防犯に用いる留守番装置に関するものである。
【０００２】
【従来の技術】
従来この種防犯装置としては、玄関や窓に設置された人感センサが侵入者を検知すると照明器具を点灯させたり警報音を発生させたりして、侵入者を威嚇するものがある。また、夕方から深夜にかけて家屋の照明が点灯していないと外部から留守であることを悟られるため、タイマーを内蔵し、設定された時刻になると照明を点灯させて在宅中と見せかけるものもある。
【０００３】
【発明が解決しようとする課題】
しかしながら、前者の防犯装置では、侵入者が侵入のために近づくか実際に侵入するまで防犯装置は作動せず、侵入者が侵入してくる前に空き巣などを未然に防ぐという効果はない。また後者の防犯装置では、毎日同じ時刻に照明がオン／オフするため、旅行や帰省などで長期不在となる時に在宅中と見せかけるには不自然になるという問題がある。
【０００４】
本発明は上記問題点に鑑みて為されたものであって、その目的とするところは、留守中でも空き巣などの犯罪を未然に防ぐことのできる留守番装置を提供することにある。
【０００５】
【課題を解決するための手段】
上記目的を達成するために、請求項１の発明は、照明器具の操作コードを記憶する記憶部と、前記照明器具の操作タイミングを知らせるタイミング信号を出力する自動トリガ部と、前記自動トリガ部が出力した前記タイミング信号が入力されると前記記憶部に記憶していた前記操作コードを出力する制御部と、前記制御部が出力した前記操作コードが入力されると該操作コードに対応する前記照明器具の遠隔操作信号を出力する遠隔操作部とからなり、前記自動トリガ部は前記タイミング信号を不規則に出力するものとした。
【０００６】
請求項２の発明は、オーディオ器具の操作コードを記憶する記憶部と、前記オーディオ器具の操作タイミングを知らせるタイミング信号を出力する自動トリガ部と、前記自動トリガ部が出力した前記タイミング信号が入力されると前記記憶部に記憶していた前記操作コードを出力する制御部と、前記制御部が出力した前記操作コードが入力されると該操作コードに対応する前記オーディオ器具の遠隔操作信号を出力する遠隔操作部とからなり、前記自動トリガ部は前記タイミング信号を不規則に出力するものとした。
【０００７】
請求項３の発明は、照明器具とオーディオ器具の操作コードを記憶する記憶部と、前記照明器具とオーディオ器具の操作タイミングを知らせるタイミング信号を出力する自動トリガ部と、前記自動トリガ部が出力した前記タイミング信号が入力されると前記記憶部に記憶していた前記操作コードを出力する制御部と、前記制御部が出力した前記操作コードが入力されると該操作コードに対応する前記照明器具又はオーディオ器具の遠隔操作信号を出力する遠隔操作部とからなり、前記自動トリガ部は前記タイミング信号を不規則に出力するものとした。
【０００８】
請求項４の発明は、請求項１乃至３の何れか記載の発明において、前記自動トリガ部は、周囲の明るさを検知する明暗センサを有し、明暗センサの出力に基づき前記タイミング信号を出力するものとした。
【０００９】
請求項５の発明は、請求項１乃至４の何れか記載の発明において、前記自動トリガ部は、不規則にタイマ出力を発生するランダムタイマを有し、ランダムタイマのタイマ出力に基づき前記タイミング信号を出力するものとした。
【００１０】
請求項６の発明は、請求項５記載の発明において、前記自動トリガ部は、電波による時刻情報を受信して自動的に時刻を修正する電波補正時計を有し、前記ランダムタイマの動作開始時刻を電波補正時計の時刻で指定して前記タイミング信号を出力するものとした。
【００１１】
請求項７の発明は、請求項４記載の発明において、前記自動トリガ部は、予め設定されたスケジュールに基づき前記タイミング信号を出力するスケジュール手段を有し、前記明暗センサの出力に基づき前記スケジュールを動作させるものとした。
【００１２】
請求項８の発明は、請求項５記載の発明において、前記自動トリガ部は、予め設定されたスケジュールに基づき前記タイミング信号を出力するスケジュール手段を有し、前記ランダムタイマの出力に基づき前記スケジュールを動作させるものとした。
【００１３】
請求項９の発明は、請求項６記載の発明において、前記自動トリガ部は、予め設定されたスケジュールに基づき前記タイミング信号を出力するスケジュール手段を有し、前記電波補正時計と前記ランダムタイマを用いた出力に基づき前記スケジュールを開始させるものとした。
【００１４】
請求項１０の発明は、請求項４記載の発明において、前記明暗センサを留守番装置本体の上面に設けたものとした。
【００１５】
請求項１１の発明は、請求項１乃至３の何れか記載の発明において、前記遠隔操作部は、留守番装置本体の側方向へ出力する赤外線ＬＥＤと上方向へ出力する赤外線ＬＥＤとからなるものとした。
【００１６】
請求項１２の発明は、請求項１１記載の発明において、前記側方向へ出力する赤外線ＬＥＤの数よりも、前記上方向へ出力する赤外線ＬＥＤの数のほうが多いものとした。
【００１７】
請求項１３の発明は、請求項１１又は１２記載の発明において、前記赤外線ＬＥＤの出力強度を切り替える切替え手段を設けたものとした。
【００１８】
請求項１４の発明は、請求項１乃至３の何れか記載の発明において、前記留守番装置は電池によって作動し、前記電池の残量を２段階以上の判定レベルで示す電池残量確認部を設けたものとした。
【００１９】
請求項１５の発明は、請求項１乃至３の何れか記載の発明において、留守番装置の動作を確認する確認信号を前記制御部へ出力する確認操作部を設け、前記制御部は前記確認操作部からの確認信号が入力されると、前記記億部に記憶していた前記操作コードを前記遠隔操作部へ出力するものとした。
【００２０】
請求項１６の発明は、請求項１５記載の発明において、前記制御部へ前記確認信号が入力されると前記自動トリガ部の動作も開始するものとした。
【００２１】
請求項１７の発明は、請求項１５記載の発明において、前記操作コードは、電源オフとなる操作コードであるとした。
【００２２】
請求項１８の発明は、請求項１５乃至１７の何れか記載の発明において、前記制御部は、前記自動トリガ部の動作中は前記確認信号を受け付けない機能を有するものとした。
【００２３】
請求項１９の発明は、請求項１又は３記載の発明において、前記照明器具に固定するための固定部を有し、前記照明器具に固定されて前記照明器具の明るさを検知して前記制御部へ送信する照明状態検知ユニットを備え、前記制御部は、前記照明状態検知ユニットの出力を基に前記照明器具の電源状態を把握する機能を有するものとした。
【００２４】
請求項２０の発明は、請求項２又は３記載の発明において、留守番装置本体を前記オーディオ器具に固定するための固定部と、前記オーディオ器具が発する音を集音し前記制御部へ出力する音声状態検知部とを備え、前記制御部は、前記音声状態検知の出力を基に前記オーディオ器具の電源状態を把握する機能を有するものとした。
【００２５】
請求項２１の発明は、請求項２又は３記載の発明において、前記オーディオ器具はテレビであり、留守番装置本体を前記テレビに固定するための固定部と、前記テレビ画面の明るさを検知し前記制御部へ出力する明暗状態検知部とを備え、前記制御部は、前記明暗状態検知部の出力を基に、前記テレビの電源状態を把握する機能を有するものとした。
【００２６】
【発明の実施の形態】
以下、本発明を実施形態１から実施形態３によって説明する。
（実施形態１）
図１に、本実施形態の留守番装置の内部構成をブロック図で示す。この留守番装置Ａは、リモコン照明器具Ｘとオーディオ器具としての、例えばテレビＹの操作コードａを記憶する記憶部１と、タイミング信号ｂを出力する自動トリガ部２と、自動トリガ部２が出力したタイミング信号ｂが入力されると記憶部１に記憶していた操作コードａを出力する制御部３と、制御部３が出力した操作コードａが入力されると対応するリモコン照明器具Ｘ又はオーディオ器具Ｙの遠隔操作信号ｃを出力する遠隔操作部４と、制御部３へ確認信号ｄを出力する確認操作部５とからなる。
【００２７】
半導体メモリからなる記憶部１は、予めリモコン照明器具ＸのテレビＹの電源操作コードａが記憶されている。操作コードａに変更の必要が生じた場合は、図２に示すようにボディ１００の表面のスライドカバー１０７の下に設けられた照明設定ボタン１０８，１０９やテレビ設定ボタン１１０、決定ボタン１１１を用いて、操作コードを変更することができる。
【００２８】
自動トリガ部２は、周囲の明るさを検知する明暗センサ２ａと、ランダムタイマ２ｂと、スケジュール手段２ｃとを備えており、それらを用いてリモコン照明器具Ｘ又はテレビＹを操作するためのタイミング信号ｂを不規則に出力する。タイミング信号ｂの詳細については後述する。
【００２９】
制御部３はマイコンからなり、自動トリガ部２が出力したタイミング信号ｂが入力されると、タイミング信号ｂに応じてリモコン照明器具ＸやテレビＹの操作コードａを記憶部１から読み出し、遠隔操作部４へ出力する。また、確認操作部５が出力した留守番装置の動作を確認する確認信号ｄが入力されると、記憶部１からリモコン照明器具ＸおよびテレビＹの電源オフとなる操作コードａを読み出し、遠隔操作部４へ出力すると共に自動トリガ部２の動作を開始させる。また、制御部３は、自動トリガ部２が動作中に再度入力された確認信号ｄについては受け付けない機能を有する。
【００３０】
遠隔操作部４は、赤外線ＬＥＤからなる赤外線送信部を有し、制御部３が出力した操作コードａが入力されると、該操作コードに対応したリモコン照明器具Ｘ又はテレビＹの遠隔操作信号ｃを作成し、赤外線送信部からリモコン照明器具Ｘ又はテレビＹへ向けて送信する。
【００３１】
確認操作部５は、留守番装置Ａの動作開始時に赤外線が確実にリモコン照明器具ＸやテレビＹに届くかを確認するために設けられたもので、図２に示した確認スタートボタン１０４が押下されると、制御部３へ留守番装置の動作を確認するための確認信号ｄを出力する。また、前述したように制御部３へ確認信号ｄが入力されると、同時に自動トリガ部２の動作も開始するので、確認操作部５は、動作確認用の役割と動作開始用の役割とを兼ねている。
【００３２】
次に、本実施形態の留守番装置Ａの外観図を図２（ａ）〜（ｅ）に示す。
【００３３】
略箱型のボディ１００の前部には、前述した遠隔操作部４の赤外線送信部１０１が設けられている。赤外線送信部１０１の内部には、３つの赤外線ＬＥＤ１０１ａ〜１０１ｃが夫々配置され、両端に配置された赤外線ＬＥＤ１０１ａ，１０１ｃは、ボディ１００の上方向に赤外線を送信するように発光部を上向きにして設置され、略中央に配置された赤外線ＬＥＤ１０１ｂは、ボディ１００の前方向に赤外線を送信するように発光部を前向きにして設置されている。赤外線ＬＥＤを上方向と前方向に送信するように複数設けたことで、上方向の赤外線ＬＥＤ１０１ａ，１０１ｃはリモコン照明器具Ｘへ向けて赤外線を送信し、前方向の赤外線ＬＥＤ１０１ｂはテレビＹへ向けて赤外線を送信することが可能となり、効率の良い遠隔操作が可能となる。また、留守番装置ＡをテレビＹなどのオーディオ器具に向けて机の上などに置いて使用した場合に、リモコン照明器具Ｘは留守番装置Ａの上方のどの位置に来るかは不確定だが、前方向の赤外線ＬＥＤの数よりも上方向の赤外線ＬＥＤの数を多くすることで、上方向にあるリモコン照明器具Ｘを確実に遠隔操作できる置き場所の範囲を広げることができる。
【００３４】
赤外線送信部１０１よりボディ１００の中央寄りの表面には、電源スイッチ１０２と確認スタートボタン１０４が夫々操作部を露出して設けられている。電源スイッチ１０２の操作部は、ボディ１００にスライド自在に設けられ、留守番装置Ａの動作を入／切する。確認スタートボタン１０４は、押下されると、前述したように、確認操作部５が制御部３へ確認信号ｄを出力し、制御部３から遠隔操作部４へ電源オフとなる操作コードａが出力されると共に、自動トリガ部２の動作が開始される。
【００３５】
また自動トリガ部２の明暗センサ２ａの受光部１０３と、電源スイッチ１０２の状態を確認するするための確認用ＬＥＤ１０５の発光部と、電池の残量を知らせる電池残量ＬＥＤ１０６の発光部とが、ボディ１００の表面に臨むように夫々設置され、透明なカバーで保護されている。明暗センサ２ａの受光部をボディ１００の上面に設けたことで、留守番装置Ａを、壁の一部に窓が有り外光が部屋の一側方から入射してくるような部屋の机の上に水平に載置した場合でも、留守番装置Ａを置く方向に関係なく同レベルで受光できるため、留守番装置Ａを置く方向による明暗検知へ影響を少なくすることができる。電池残量ＬＥＤ１０６は、２つのＬＥＤからなり、２つのＬＥＤの点灯の組み合わせにより電池の残量を詳しく表現することで、長期外出の際にも電池残量を確認してから安心して出かけることができる。
【００３６】
ボディ１００の表面の中央より後方には、スライドカバー１０７が設けられ、スライドカバー１０７の下には、照明設定ボタン（電源オフ設定用）１０８と、照明設定ボタン（電源オン設定用）１０９と、テレビ設定ボタン１１０と、決定ボタン１１１と、出力切替スイッチ１１２と、電池収納部１１３とが夫々配設されている。
【００３７】
照明設定ボタン１０８，１０９と、テレビ設定ボタン１１０と、決定ボタン１１１とは、記憶部１に記憶されているリモコン照明器具ＸやテレビＹの操作コードａを変更する際に使用するボタンである。
【００３８】
出力切替スイッチ１１２は、赤外線送信部１０１の出力を“強”か“弱”かにスライド自在に切り替えるもので、使用する部屋の大きさや置き場所に応じて強弱を切り替えることで、“弱”で使用すれば電池を節約し電池寿命を増加でき、“強”で使用すれば広い部屋や赤外線が届きにくい場所でも確実に動作させることができる。
【００３９】
留守番装置Ａの裏面には、机などに置く際の設置足１１４が四隅に突設されている。
【００４０】
次に、上記のように構成される留守番装置Ａの使用方法について説明する。
【００４１】
まず留守番装置Ａの表面に露出した電源スイッチ１０２を“入”側にスライドさせて、電源を入れる。電源が正常に入ると、制御部３により確認用ＬＥＤ１０５が点灯する。また、制御部３により電池（図示せず）の出力電圧が測定され、電池の残量が電池残量ＬＥＤ１０６に示される。例えば、電圧が十分高く電池の残量が十分にある時は、電池残量ＬＥＤ１０６が２つとも消灯し、残量がおよそ連続１週間程度の電圧の時には、電池残量ＬＥＤ１０６が１つだけ点灯し、連続１日も持続しない時には、電池残量ＬＥＤ１０６が２つとも点灯し確認スタートボタンを押しても受け付けずに電池交換を促す。
【００４２】
記憶部１には、予めリモコン照明器具ＸおよびテレビＹの電源操作コードが記憶されているが、リモコン照明器具ＸやテレビＹの操作コードを変更する必要があれば、この時点で、照明設定ボタン１０８，１０９やテレビ設定ボタン１１０、決定ボタン１１１を用いて、操作コードを変更する。尚、操作コードの変更の方法については、ここでは特に限定せず、説明を省略する。
【００４３】
次に、図３に示すように、留守番装置Ａの前面をテレビＹに向けて、机Ｔの上に載置する。留守番装置Ａは、赤外線でリモコン照明器具ＸやテレビＹを操作するため、リモコン照明器具ＸやテレビＹと留守番装置Ａとの間に障害物がないことを確認する。また、テレビＹとの距離は、赤外線の届く範囲（１〜２ｍ位）とする。
【００４４】
次に、リモコン照明器具ＸとテレビＹの電源を両方ともオンしておく。
【００４５】
この状態で、確認スタートボタン１０４を押下すると、確認操作部５から制御部３へ確認信号ｄが出力され、制御部３が記憶部１からリモコン照明器具ＸおよびテレビＹの電源オフとなる操作コードａを読み出し遠隔操作部４へ出力し、遠隔操作部４で操作コードａから遠隔操作信号ｃが作成され、赤外線送信部１０１からリモコン照明器具ＸとテレビＹへ電源オフの信号が送信される。
【００４６】
電源オフ信号を受信したリモコン照明器具ＸとテレビＹは、電源がオンからオフへと切り替わり、留守番装置Ａが正常に動作していることが確認できる。ここで、留守番装置Ａの動作確認を、リモコン照明器具ＸおよびテレビＹとが共に電源オンからオフへと切り替わることで確認するようにしたことで、蛍光灯などの照明器具やテレビのようにオフからオンには時間を要する器具でも、オンからオフへの反応は早いので、外出前に素早く動作を確認できる。
【００４７】
制御部３に確認信号ｄが入力されると、自動トリガ部２の動作が開始し、留守番装置Ａは、これ以降電源スイッチ１０２がオフされるまで後述する留守モードとなり、自動トリガ部２に予め設定されたスケジュールに従って動作を行う。
【００４８】
使用者は、以上の動作が正常に行われたことを確認した後外出する。
【００４９】
尚、正常に行われなかった時は、留守番装置Ａの置き場所を代えたり、出力切替スイッチ１１２で出力を“強”にしたりした後、再度電源を入れ直してから、確認作業を行う。再度電源を入れ直す理由は、制御部３は自動トリガ部２の動作開始以降、確認信号ｄを受け付けないからである。これは、一般のテレビや一部の照明器具は電源オンの信号とオフの信号が同じであり、同じ信号でオンからオフ、オフからオンへと電源が切り替わるため、外出中で自動トリガ部２が動作している時に、何らかの理由で確認スタートボタン１０４が押下され確認信号ｄが出力されると、テレビや照明器具のオン／オフの状態が意図した状態とは逆の状態で動作する可能性があり、その事態を防止するためである。
【００５０】
ここで、自動トリガ部２の留守モードについて詳説する。
【００５１】
自動トリガ部２は、前述したように、明暗センサ２ａと、ランダムタイマ２ｂと、スケジュール手段２ｃとを備えており、本実施形態では予め３つのスケジュールパターンＰ１〜Ｐ３が設定されている。留守モードは、何れかのスケジュールパターンＰ１〜Ｐ３が実行されている状態か、何れかのスケジュールパターンを開始するトリガ待ちの待機状態かとなる。
【００５２】
まず、制御部３に確認信号ｄが入力され自動トリガ部２の動作が開始した直後に、照明器具やテレビ以外の外光があり所定の明るさ以上であって、明暗センサ２ａが“明”と判定した時の留守モード（昼外出時の留守モード）について図４（ａ），（ｂ）を用いて説明する。図４（ａ）は、リモコン照明器具Ｘのオン／オフ状態を示し、図４（ｂ）は、テレビＹのオン／オフ状態を示す。
【００５３】
昼外出時の留守モードでは、自動トリガ部２の動作が開始した直後にまず第１のスケジュールパターンＰ１の実行が開始される。
【００５４】
第１のスケジュールパターンＰ１は、図４において、時刻ｔ１で留守番装置Ａの電源がオンされ、時刻ｔ２で使用者がリモコン照明器具ＸとテレビＹの電源オンし、時刻ｔ３に確認スタートボタン１０４が押下され自動トリガ部２の動作が開始したとすると、確認スタートボタン１０４が押下された３秒後の時刻ｔ４に、リモコン照明器具Ｘをオンするためのタイミング信号ｂが自動トリガ部２から制御部３へ出力され、制御部３から遠隔操作部４を介してリモコン照明器具Ｘをオンするための遠隔操作信号が送信され、リモコン照明器具Ｘがオフからオンへと切り替わる。その後、時刻ｔ４から３０分後の時刻ｔ５にテレビＹの電源がオンされ、それから４時間３０分後の時刻ｔ６にテレビＹの電源がオフされ、それから２０分後の時刻ｔ７にリモコン照明器具Ｘの電源がオフされる。
【００５５】
リモコン照明器具ＸおよびテレビＹ共に電源がオフとなると、留守番装置Ａは、しばらく待機状態となり、明暗センサ２ａが１５分毎に明暗の検知を行う。
【００５６】
明暗センサ２ａの判定が“明”から“暗”に切り替わると（時刻ｔ８）、自動トリガ部２は、第２のスケジュールパターンＰ２の実行を開始する。第２のスケジュールパターンＰ２では、まずランダムタイマ２ｂが不規則に出力するタイマ出力を用いて１時間以内のランダムなタイミングでリモコン照明器具Ｘの電源がオンされ（時刻ｔ９）。その後、時刻ｔ９から３０分後の時刻ｔ１０にテレビＹの電源がオンされ、それから４時間３０分後の時刻ｔ１１にテレビＹの電源がオフされ、それから２０分後の時刻ｔ１２にリモコン照明器具Ｘの電源がオフされる。
【００５７】
リモコン照明器具ＸおよびテレビＹ共に電源がオフとなると、留守番装置Ａは、再び待機状態となり、明暗センサ２ａが１５分毎に明暗の検知を行う。
【００５８】
明暗センサ２ａの判定が“暗”から“明”に切り替わると（時刻ｔ１３）、自動トリガ部２は、第３のスケジュールパターンＰ３の実行を開始する。第３のスケジュールパターンＰ３では、時刻ｔ１３から３時間後の時刻ｔ１４にリモコン照明器具Ｘの電源がオンされ、それから３０分後の時刻ｔ１５にテレビＹの電源がオンされ、それから４時間３０分後の時刻ｔ１６にテレビＹの電源がオフされ、それから２０分後の時刻ｔ１７にリモコン照明器具Ｘの電源がオフされる。
【００５９】
これ以降、再び待機状態となり、明暗センサ２ａの判定が“明”から“暗”に切り替わると第２のスケジュールパターンＰ２が実行され、“暗”から“明”に切り替わると第３のスケジュールパターンＰ３が実行され、電源スイッチ１０２がオフされるまで繰り返される。
【００６０】
次に、制御部３に確認信号ｄが入力され自動トリガ部２の動作が開始した直後に、明暗センサ２ａが“暗”と判定した時の留守モード（夜外出時の留守モード）について図５（ａ），（ｂ）を用いて説明する。図５（ａ）は、リモコン照明器具Ｘのオン／オフ状態を示し、図５（ｂ）は、テレビＹのオン／オフ状態を示す。
【００６１】
夜外出時の留守モードでは、昼外出時の留守モードと同様に、自動トリガ部２の動作が開始した直後にまず第１のスケジュールパターンＰ１の実行が開始される（時刻ｔ１〜ｔ７）。
【００６２】
その後、リモコン照明器具ＸおよびテレビＹ共に電源がオフとなると、自動トリガ部２は、しばらく待機状態となり、明暗センサ２ａが１５分毎に明暗の検知を行う。
【００６３】
明暗検知センサ２ａの判定が“暗”から“明”に切り替わると（時刻ｔ８）、前述した第３のスケジュールパターンＰ３が実行される（時刻ｔ８〜ｔ１２）。
【００６４】
リモコン照明器具ＸおよびテレビＹ共に電源がオフとなると、留守番装置Ａは、再び待機状態となり、明暗センサ２ａが１５分毎に明暗の検知を行う。
【００６５】
明暗検知センサ２ａの判定が“明”から“暗”に切り替わると（時刻ｔ１３）前述した第２のスケジュールパターンＰ２が実行される。
【００６６】
これ以降、電源スイッチ１０２がオフされるまで、明暗検知センサ２ａの判定が“明”から“暗”に切り替わると第２のスケジュールパターンＰ２が実行され、“暗”から“明”に切り替わると第３のスケジュールパターンＰ３が繰り返し実行される。
【００６７】
かかる留守番装置Ａにおいては、明暗センサ２ａとランダムタイマ２ｂとスケジュール手段２ｃとを組み合わせて照明器具ＸやテレビＹが不規則に操作され、留守中でも自然に在宅中と見せかけることができ、留守中の空き巣などを未然に防ぐことができる。
【００６８】
尚、自動トリガ部２のスケジュールパターンは本実施形態のスケジュールパターンＰ１〜Ｐ３に限定されるものではない。
【００６９】
（実施形態２）
本実施形態における基本構成は実施形態１と共通するために共通する部分については同一の符号を付して説明を省略し、本実施形態の特徴となる部分についてのみ詳細に説明する。
【００７０】
本実施形態の留守番装置Ｂは、図６に示すように、装置本体Ｂ１と、リモコン照明器具Ｘに取り付ける照明状態検知ユニットＢ２とから構成され、装置本体Ｂ１をテレビＹの上に固定し、照明状態検知ユニットＢ２をリモコン照明器具Ｘの照明カバー内部に固定して用いられる。
【００７１】
装置本体Ｂ１の内部構成は、図７に示すように、記憶部１と、制御部３と、遠隔操作部４と、確認操作部５とを実施形態１の留守番装置Ａと同様に備えているほか、実施形態１の留守番装置Ａとの相違点として、自動トリガ部２に代えて自動トリガ部２Ａを備え、またテレビ状態検知部６と、照明状態受信部７とを新たに備えている。
【００７２】
自動トリガ部２Ａは、明暗センサ２ａとスケジュール手段２ｄとからなり、実施形態１の自動トリガ部２と比較して、ランダムタイマ２ｂを用いずに構成されている。また、本実施形態のスケジュール手段２ｄは、実施形態１のスケジュール手段２ｃと比較して、予め設定されたスケジュールパターンを使用者が変更できる機能を備えている。
【００７３】
テレビ状態検知部６は、明暗センサを備え、テレビ画面の明るさを検知し制御部３へテレビ状態信号ｅとして出力する。
【００７４】
照明状態受信部７は、後述する照明状態検知ユニットＢ２の照明状態送信部９から送信されてきた赤外線ｇを受信し、照明状態検知部８が出力した照明状態信号ｆに復元した後、制御部３へ出力する。
【００７５】
一方、照明状態検知ユニットＢ２は、照明状態検知部８と、照明状態送信部９とからなる。
【００７６】
照明状態検知部８は、明暗センサを備え、リモコン照明器具Ｘの明るさを検知し照明状態送信部９へ照明状態信号ｆとして出力する。照明状態送信部９は、赤外線ＬＥＤを備え、照明状態検知部８が出力した照明状態信号ｆを赤外線ｇに変換し、装置本体Ｂ１の照明状態受信部７へと送信する。
【００７７】
次に、本実施形態の留守番装置Ｂの外観図を図８（ａ）〜（ｆ）に示す。図８（ａ）〜（ｄ）までが装置本体Ｂ１の外観図で、図８（ｅ）〜（ｆ）が照明状態検知ユニットＢ２の外観図である。
【００７８】
装置本体Ｂ１は、縦断面略直角三角形の三角柱状のボディ２００に、斜面と底面との交差する部分に水平な台座２０１を延設し、台座２０１の先端に、可倒式の状態検知固定部２０２を設けている。
【００７９】
ボディ２００の斜面の上端部には、実施形態１と同様の赤外線送信部１０１と前述した照明状態受信部７が夫々設けられ、赤外線送信部１０１および照明状態受信部７より下方の斜面上には、自動トリガ部２Ａの明暗センサ２ａがその受光部２０４を外部に臨むように設置され、また斜面上の略中央部には、自動トリガ部２Ａに設定されているスケジュール内容を表示する表示部２０３が設けられている。
【００８０】
ボディ２００の背面となる垂直な面２０５には、実施形態１と同様の照明設定ボタン１０８，１０９とテレビ設定ボタン１１０と決定ボタン１１１とが夫々配設されている。
【００８１】
水平に延設された台座２０１の上面には、確認スタートスイッチ２０６がスライド自在に設けられている。確認スタートスイッチ２０６は、実施形態１の確認スタートボタン１０４と同様の役割を果たし、確認スタートスイッチ２０６を“在宅”から“留守スタート”へ切り替えると、確認信号ｄが確認操作部５から制御部３へと出力される。
【００８２】
可倒式の状態検知固定部２０２は、装置本体Ｂ１の台座２０１の厚さと同等の幅を有した略直方体の部材からなり、留守番装置Ｂの不使用時には、装置本体Ｂ１の台座２０１の前面に略水平に収納されて、留守番装置Ｂの使用時に底面に対して垂直になるように可倒されて用いられる。状態検知固定部２０２の、台座２０１の前面と対向する裏面には、テレビ状態検知部６の明暗センサの受光部が外部に臨むように設置されており、装置本体Ｂ１がテレビＹの上に設置され、状態検知固定部２０２が垂直に可倒されると、テレビ状態検知部６の明暗センサの受光部がテレビ画面と対向するようになり、テレビ画面の明るさを検知する。
【００８３】
ボディ２００の裏面には、装置本体Ｂ１をテレビＹの上面に固定するための固定部たる滑り止めゴム足２０７が取り付けられている。
【００８４】
一方、照明状態検知ユニットＢ２は、略円盤上のボディ２１０の上面の中央に遮光筒２１１が立設されており、遮光筒の開口側を上側にしてリモコン照明器具Ｘの照明カバー内に固定される。
【００８５】
遮光筒２１１の内部には、照明状態検知部８の明暗センサが設置されており、遮光筒２１１で外光が照明状態検知部８の明暗センサに入射するのを防いで、照明状態検知ユニットＢ２が取り付けられたリモコン照明器具Ｘだけの明るさを検知するようにしている。
【００８６】
略円盤上のボディ２１０の下面には、照明状態送信部９の赤外線ＬＥＤが設置され、前述したように、照明状態検知部８が出力した照明状態信号ｆを照明状態送信部９で赤外線ｇに変換した後、赤外線ＬＥＤから装置本体Ｂ１の照明状態受信部７へと送信する。
【００８７】
また、略円盤上のボディ２１０の下面は、リモコン照明器具Ｘの照明カバーの形状に合わせて、緩やかな曲面となっており、該曲面の周縁に固定部たる環状の滑り止めゴム足２１２が取り付けられ、照明状態検知ユニットＢ２が照明カバー内部の上面に載置されると、照明状態検知ユニットＢ２が滑り止めゴム足２１２で照明カバーに固定される。
【００８８】
次に、上記のように構成される留守番装置Ｂの使用方法について説明する。
【００８９】
まず使用者は、記憶部１に記憶されているリモコン照明器具ＸやテレビＹの操作コードを変更する必要があれば、装置本体Ｂ１の背面に配設された、照明設定ボタン１０８，１０９やテレビ設定ボタン１１０、決定ボタン１１１を用いて操作コードａを変更しておく。
【００９０】
また、予め設定されたスケジュールパターンを変更する必要があれば、装置本体Ｂ１の表示部２０３を見ながら、図示しない入力手段を用いてスケジュールパターンを変更しておく。本実施形態の留守番装置Ｂは、自動トリガ部２Ａが明暗センサ２ａとスケジュール手段２ｄとからなるので、例えば、明暗センサが“暗”から“明”に切り替わると、予め設定したスケジュールパターンを開始させたりすることができる。
【００９１】
次に、装置本体Ｂ１をテレビＹの上に載置して、状態検知固定部２０２を垂直になるまで可倒し、状態検知固定部２０２の裏面に設置されたテレビ状態検知部６の明暗センサの受光部がテレビ画面と対向するようにする。この時、装置本体Ｂ１は滑り止めゴム足２０７でテレビＹの上に固定される。
【００９２】
次に、照明状態検知ユニットＢ２をリモコン照明器具Ｘの照明カバー内部に載置する。この時、照明状態検知ユニットＢ２は、滑り止めゴム足２１２で照明カバーに固定される。
【００９３】
次に、リモコン照明器具ＸとテレビＹの電源を両方ともオンしておく。
【００９４】
この状態で、確認スタートスイッチ２０６を“在宅”から“留守スタート”へ切り替えると、確認信号ｄが確認操作部５から制御部３へと出力され、実施形態１と同様に、制御部３が記憶部１からリモコン照明器具ＸおよびテレビＹの電源オフとなる操作コードａを読み出し遠隔操作部４へ出力し、遠隔操作部４で操作コードａから遠隔操作信号ｃが作成され、赤外線送信部１０１からリモコン照明器具ＸとテレビＹへ電源オフの信号が送信される。本実施形態では、テレビＹへの遠隔操作信号は、赤外線送信部１０１から送信された後、図６に示したように壁Ｋなどで反射してテレビＹに受信される。
【００９５】
電源オフ信号を受信したリモコン照明器具ＸとテレビＹは、電源がオンからオフへと切り替わり、留守番装置Ｂが正常に動作していることが確認できる。
【００９６】
また、制御部３に確認信号ｄが入力されると、自動トリガ部２Ａの動作が開始し、これ以降確認スタートスイッチ２０６が“在宅”に切り替えられるまで留守モードとなり、自動トリガ部２Ａに予め設定された動作を行う。
【００９７】
ここで、テレビ状態検知部６と照明状態検知部８の役割について説明する。
【００９８】
実施形態１でも述べたように、一般のテレビや一部の照明器具は電源オンの信号とオフの信号が同じであり、同じ信号でオンからオフ、オフからオンへと切り替わるため、何らかの原因で一度正常にオン／オフ信号が伝達できなかった場合、テレビや照明器具のオン／オフの状態が、意図した状態とは逆の状態で動作する可能性がある。よって、本実施形態では、照明器具には照明状態検知ユニットＢ２を取り付け、その照明状態検知ユニットＢ２に設けられた照明状態検知部８によってリモコン照明器具Ｘの電源状態を監視し、テレビには状態検知固定部２０２を対向させ、その状態検知固定部に設けられたテレビ状態検知部６によって電源状態を監視し、制御部３は、それら状態検知部から出力される状態信号を基にリモコン照明器具ＸとテレビＹの電源状態を把握した上で、操作コードを出力する。
【００９９】
かかる留守番装置Ｂにおいては、明暗センサ２ａとスケジュール手段２ｄとを組み合わせて照明器具ＸやテレビＹが不規則に操作され、留守中でも自然に在宅中と見せかけて、留守中の空き巣などを未然に防ぐことができると共に、照明状態検知部およびテレビ状態検知部を設けることで、照明器具やテレビが意図しない状態で動作することを防ぐことができる。
【０１００】
（実施形態３）
本実施形態における基本構成は実施形態２と共通するために共通する部分については同一の符号を付して説明を省略し、本実施形態の特徴となる部分についてのみ詳細に説明する。
【０１０１】
本実施形態の留守番装置Ｃの内部構成は、図９に示すように、記憶部１と、制御部３と、遠隔操作部４と、確認操作部５とを実施形態２の装置本体Ｂ１と同様に備えているほか、実施形態２の装置本体Ｂ１との相違点として、自動トリガ部２Ａに代えて自動トリガ部２Ｂを備え、またテレビ状態検知部６に代えて音声状態検知部１０を備え、また照明状態受信部７を省いて構成されている。
【０１０２】
本留守番装置Ｃでは、実施形態２の照明状態検知ユニットＢ２は使用しないので、制御部３は、リモコン照明器具Ｘの電源状態を把握する機能は有していない。
【０１０３】
自動トリガ部２Ｂは、図１０に示すように留守番装置Ｃに内蔵された電波受信部３００が受信する電波によって時刻が自動で修正される電波補正時計２ｅと、ランダムタイマ２ｂと、スケジュール手段２ｆとからなる。
【０１０４】
本実施形態のスケジュール手段２ｆは、実施形態２のスケジュール手段２ｄと同様に予め設定されたスケジュールパターンを使用者が変更できる機能を備えている。本実施形態の自動トリガ部２Ｂは、電波補正時計２ｅとランダムタイマ２ｂとスケジュール手段２ｆを組み合わせて、例えば「１８：００から１時間以内のランダムな時間に照明器具をオンし、２３：００から１時間以内のランダムな時間に、あるスケジュールパターンを開始させる」というような動作ができる。電波補正時計２ｅを用いることで、時刻が自動的に修正されるため、時刻設定の煩わしさがない。
【０１０５】
音声状態検知部１０は、実施形態２ではテレビ状態検知部６が明暗センサによりテレビの電源状態を検知していたものを、後述する留守番装置本体Ｃの台座２０１部分に内蔵されたマイクを用いて、テレビの電源状態を検知するもので、マイクが受信したテレビの音を状態検知信号ｅとして制御部３へ出力し、制御部３は入力された状態検知信号ｅを基にテレビの電源状態を把握する。テレビの電源状態をマイクによって検知するため、実施形態２のように状態検知固定部２０２をテレビ画面と対向させる必要が無く、留守番装置Ｃをテレビの上に固定するだけでよい。
【０１０６】
次に、留守番装置Ｃの外観図を図１０に示す。本留守番装置Ｃの外観は、実施形態２の装置本体Ｂ１とほぼ同じであるが、台座２０１に設けられていた状態検知固定部２０２が省かれ、代わりに台座２０１に音声状態検知部１０のマイクが内蔵され、その受音部が台座２０１の正面の側壁部に設けられている。また、表示部２０３には、自動トリガ部２Ｂに設定されているスケジュール内容の表示に加えて、電波補正時計２ｅの時刻を表示させることができる。また、ボディ２００の内部には、電波による時刻情報を受信して電波補正時計２ｅの時刻を自動で修正する電波受信部３００が内蔵されている。
【０１０７】
上記のように構成される留守番装置Ｃの使用方法について説明する。
【０１０８】
まず使用者は、実施形態２の留守番装置Ｂと同様に、記憶部１に記憶されているリモコン照明器具ＸやテレビＹの操作コードを変更する必要があれば、留守番装置Ｃの背面に配設された、照明設定ボタン１０８，１０９やテレビ設定ボタン１１０、決定ボタン１１１を用いて操作コードを変更しておく。
【０１０９】
また、予め設定されたスケジュールパターンを変更する必要があれば、留守番装置Ｃの表示部２０３を見ながら、図示しない入力手段を用いてスケジュールパターンを変更しておく。
【０１１０】
次に、留守番装置ＣをテレビＹの上に載置する。この時、留守番装置Ｃは滑り止めゴム足２０７でテレビＹの上に固定される。
【０１１１】
次に、リモコン照明器具ＸとテレビＹの電源を両方ともオンしておく。
【０１１２】
この状態で、確認スタートスイッチ２０６を“在宅”から“留守スタート”へ切り替えると、実施形態２と同様に、リモコン照明器具ＸとテレビＹが、電源がオンからオフへと切り替わり、使用者は留守番装置Ｃの動作を確認でき、それ以降留守番装置Ｃは、確認スタートスイッチ２０６が“在宅”に切り替えられるまで留守モードとなる。
【０１１３】
かかる留守番装置Ｃにおいては、電波補正時計とランダムタイマとスケジュール手段とを組み合わせて照明器具やテレビが不規則に操作され、留守中でも自然に在宅中と見せかけることができ、留守中の空き巣などを未然に防ぐことができると共に、音声状態検知部を設けることで、テレビの音声からテレビの電源状態を把握でき、テレビが意図しない状態で動作することを防ぐことができる。
【０１１４】
【発明の効果】
請求項１の発明は、照明器具の操作コードを記憶する記憶部と、前記照明器具の操作タイミングを知らせるタイミング信号を出力する自動トリガ部と、前記自動トリガ部が出力した前記タイミング信号が入力されると前記記憶部に記憶していた前記操作コードを出力する制御部と、前記制御部が出力した前記操作コードが入力されると該操作コードに対応する前記照明器具の遠隔操作信号を出力する遠隔操作部とからなり、前記自動トリガ部は前記タイミング信号を不規則に出力するので、家の中の照明が不規則に操作されることで、家の外から見るとあたかも家の中に人がいて操作しているかのように見え、留守中でも自然に在宅中と見せかけることができ、留守中の空き巣などを未然に防ぐことができるという効果がある。
【０１１５】
請求項２の発明は、オーディオ器具の操作コードを記憶する記憶部と、前記オーディオ器具の操作タイミングを知らせるタイミング信号を出力する自動トリガ部と、前記自動トリガ部が出力した前記タイミング信号が入力されると前記記憶部に記憶していた前記操作コードを出力する制御部と、前記制御部が出力した前記操作コードが入力されると該操作コードに対応する前記オーディオ器具の遠隔操作信号を出力する遠隔操作部とからなり、前記自動トリガ部は前記タイミング信号を不規則に出力するので、オーディオ器具が不規則に操作され、家の中からオーディオ器具の音が不規則に聞こえることで、あたかも家の中に人がいて操作しているかのように思わせ、留守中でも自然に在宅中と見せかけることができ、留守中の空き巣などを未然に防ぐことができるという効果がある。
【０１１６】
請求項３の発明は、照明器具とオーディオ器具の操作コードを記憶する記憶部と、前記照明器具とオーディオ器具の操作タイミングを知らせるタイミング信号を出力する自動トリガ部と、前記自動トリガ部が出力した前記タイミング信号が入力されると前記記憶部に記憶していた前記操作コードを出力する制御部と、前記制御部が出力した前記操作コードが入力されると該操作コードに対応する前記照明器具又はオーディオ器具の遠隔操作信号を出力する遠隔操作部とからなり、前記自動トリガ部は前記タイミング信号を不規則に出力するので、照明器具の光とオーディオ器具の音の両方を不規則に操作することで、留守中でもより自然に在宅中と見せかけることができ、留守中の空き巣などを未然に防ぐことができるという効果がある。
【０１１７】
請求項４の発明は、請求項１乃至３の何れか記載の発明において、前記自動トリガ部は、周囲の明るさを検知する明暗センサを有し、明暗センサの出力に基づき前記タイミング信号を出力するので、天候や季節の違いによって明るさが変わるため、不規則にタイミング信号を出力することができるという効果がある。
【０１１８】
請求項５の発明は、請求項１乃至４の何れか記載の発明において、前記自動トリガ部は、不規則にタイマ出力を発生するランダムタイマを有し、ランダムタイマのタイマ出力に基づき前記タイミング信号を出力するので、ランダムタイマを用いて不規則なタイミング信号を出力することができるという効果がある。
【０１１９】
請求項６の発明は、請求項５記載の発明において、前記自動トリガ部は、電波による時刻情報を受信して自動的に時刻を修正する電波補正時計を有し、前記ランダムタイマの動作開始時刻を電波補正時計の時刻で指定して前記タイミング信号を出力するので、特定の時間と不規則なタイミングを組み合わせてタイミング信号を出力することができ、より自然に在宅中と見せかけることができ、また電波補正時計のため長期不在中でも時刻を修正する必要がないという効果がある。
【０１２０】
請求項７の発明は、請求項４記載の発明において、前記自動トリガ部は、予め設定されたスケジュールに基づき前記タイミング信号を出力するスケジュール手段を有し、前記明暗センサの出力に基づき前記スケジュールを動作させるので、スケジュールされた動作の中に不規則な変化をつけて前記自動トリガ部を動作させることができるという効果がある。
【０１２１】
請求項８の発明は、請求項５記載の発明において、前記自動トリガ部は、予め設定されたスケジュールに基づき前記タイミング信号を出力するスケジュール手段を有し、前記ランダムタイマの出力に基づき前記スケジュールを動作させるので、スケジュールされた動作の中に不規則な変化をつけて前記自動トリガ部を動作させることができるという効果がある。
【０１２２】
請求項９の発明は、請求項６記載の発明において、前記自動トリガ部は、予め設定されたスケジュールに基づき前記タイミング信号を出力するスケジュール手段を有し、前記電波補正時計と前記ランダムタイマを用いた出力に基づき前記スケジュールを開始させるので、スケジュールされた動作の中に不規則な変化をつけて前記自動トリガ部を動作させることができるという効果がある。
【０１２３】
請求項１０の発明は、請求項４記載の発明において、前記明暗センサを留守番装置本体上面の略水平面に設けたので、留守番装置を置く方向に関係なく同レベルで受光でき、留守番装置を置く方向による前記明暗センサの明暗検知へ影響を少なくすることができるという効果がある。
【０１２４】
請求項１１の発明は、請求項１乃至３の何れか記載の発明において、前記遠隔操作部は、留守番装置本体の側方向へ出力する赤外線ＬＥＤと上方向へ出力する赤外線ＬＥＤとからなるので、前記側方向への赤外線ＬＥＤは前記オーディオ器具へ向けて赤外線を送信し、前記上方向への赤外線ＬＥＤは前記照明器具へ向けて赤外線を送信することが可能となり、効率のよい遠隔操作が可能となるという効果がある。
【０１２５】
請求項１２の発明は、請求項１１記載の発明において、前記側方向へ出力する赤外線ＬＥＤの数よりも、前記上方向へ出力する赤外線ＬＥＤの数のほうが多いので、前記側方向への赤外線ＬＥＤを前記オーディオ器具に向けて置いた時に、上方向にある前記照明器具を操作できる範囲が広くなるという効果がある。
【０１２６】
請求項１３の発明は、請求項１１又は１２記載の発明において、前記赤外線ＬＥＤの出力強度を切り替える切替え手段を設けたので、使用する部屋の大きさや置き場所に応じて出力強度を切り替えることで、出力強度を“弱”にして使用すれば省エネとなり、“強”にして使用すれば赤外線が届きにくい場所でも確実に動作させることができるという効果がある。
【０１２７】
請求項１４の発明は、請求項１乃至３の何れか記載の発明において、前記留守番装置は電池によって作動し、前記電池の残量を２段階以上の判定レベルで示す電池残量確認部を設けたので、長期外出しても動作する電池残量か、短期外出でしか動作しない電池残量かを区別して表示させることができ、使用者は外出の期間に応じて電池残量を確認してから安心して外出することができるという効果がある。
【０１２８】
請求項１５の発明は、請求項１乃至３の何れか記載の発明において、留守番装置の動作を確認する確認信号を前記制御部へ出力する確認操作部を設け、前記制御部は前記確認操作部からの確認信号が入力されると、前記記億部に記憶していた前記操作コードを前記遠隔操作部へ出力するものとしたので、留守番装置の置き場所を決める際に前記確認信号を前記制御部へ出力させて、制御する器具が実際に操作されることを確認することで、赤外線が確実に届いて留守番装置が正常に動作するかどうかを確認できるという効果がある。
【０１２９】
請求項１６の発明は、請求項１５記載の発明において、前記制御部へ前記確認信号が入力されると前記自動トリガ部の動作も開始するものとしたので、前記確認信号とスタート信号とを兼ねることができるという効果がある。
【０１３０】
請求項１７の発明は、請求項１５記載の発明において、前記操作コードは、電源オフとなる操作コードであるので、電源がオンからオフには時間を要する器具でも、オフからオンへの反応は早いので、素早く動作を確認できるという効果がある。
【０１３１】
請求項１８の発明は、請求項１５乃至１７の何れか記載の発明において、前記制御部は、前記自動トリガ部の動作中は前記確認信号を受け付けない機能を有するものとしたので、前記自動トリガ部の動作中に誤って前記確認信号が入力されても動作に影響を与えないという効果がある。
【０１３２】
請求項１９の発明は、請求項１又は３記載の発明において、前記照明器具に固定するための固定部を有し、前記照明器具に固定されて前記照明器具の明るさを検知して前記制御部へ送信する照明状態検知ユニットを備え、前記制御部は、前記照明状態検知ユニットの出力を基に前記照明器具の電源状態を把握する機能を有するものとしたので、前記制御部は、前記照明器具の電源状態を把握しながら、意図したとおりに照明器具を操作できるという効果がある。
【０１３３】
請求項２０の発明は、請求項２又は３記載の発明において、留守番装置本体を前記オーディオ器具に固定するための固定部と、前記オーディオ器具が発する音を集音し前記制御部へ出力する音声状態検知部とを備え、前記制御部は、前記音声状態検知の出力を基に前記オーディオ器具の電源状態を把握する機能を有するものとしたので、前記制御部は、前記オーディオ器具の電源状態を把握しながら、意図したとおりにオーディオ器具を操作できるという効果がある。
【０１３４】
請求項２１の発明は、請求項２又は３記載の発明において、前記オーディオ器具はテレビであり、留守番装置本体を前記テレビに固定するための固定部と、前記テレビ画面の明るさを検知し前記制御部へ出力する明暗状態検知部とを備え、前記制御部は、前記明暗状態検知部の出力を基に、前記テレビの電源状態を把握する機能を有するものとしたので、前記制御部は、前記テレビの電源状態を把握しながら、意図したとおりにテレビを操作でき、またテレビ画面が夜中のように無音状態であっても、画面の明るさにより電源状態を把握できるという効果がある。
【図面の簡単な説明】
【図１】実施形態１の留守番装置の内部構成を示すブロック図である。
【図２】（ａ）同上の上面図である。
（ｂ）同上でカバーを外した状態の上面図である。
（ｃ）同上の側面図である。
（ｄ）同上の裏面図である。
（ｅ）同上の正面図である。
【図３】同上の使用状況を説明する図である。
【図４】（ａ）同上の照明器具の動作を説明するタイミングチャートである。
（ｂ）同上のテレビの動作を説明するタイミングチャートである。
【図５】（ａ）同上の照明器具の動作を説明する別のタイミングチャートである。
（ｂ）同上のテレビ動作を説明する別のタイミングチャートである。
【図６】実施形態２の留守番装置の使用状況を説明する図である。
【図７】同上の内部構成を示すブロック図である。
【図８】（ａ）同上の留守番装置本体の背面図である。
（ｂ）同上の正面図である。
（ｃ）同上の上面図である。
（ｄ）同上の側面図である。
（ｅ）同上の照明状態検知ユニットの上面図である。
（ｆ）同上の側面図である。
【図９】実施形態３の留守番装置の内部構成を示すブロック図である。
【図１０】（ａ）同上の留守番装置の背面図である。
（ｂ）同上の正面図である。
（ｃ）同上の上面図である。
（ｄ）同上の側面図である。
【符号の説明】
１　記憶部
２　自動トリガ部
２ａ　明暗センサ
２ｂ　ランダムタイマ
２ｃ，２ｄ　スケジュール手段
２ｅ　電波補正時計
３　制御部
４　遠隔操作部
５　確認操作部
６　テレビ状態検知部
７　照明状態受信部
８　照明状態検知部
９　照明状態送信部
１０　音声状態検知部
１００　ボディ
１０１　赤外線送信部
１０１ａ〜１０１ｃ　赤外線ＬＥＤ
１０２　電源スイッチ
１０３　明暗センサ受光部
１０４　確認スタートボタン
１０５　確認用ＬＥＤ
１０６　電池残量ＬＥＤ
１０７　スライドカバー
１０８，１０９　照明設定ボタン
１１０　テレビ設定ボタン
１１１　決定ボタン
１１２　出力切替スイッチ
１１３　電池収納部
ａ　操作コード
ｂ　タイミング信号
ｃ　遠隔操作信号
ｄ　確認信号
ｅ　テレビ状態信号
ｆ　照明状態信号
ｇ　赤外線
Ａ，Ｂ，Ｃ　留守番装置
Ｘ　リモコン照明器具
Ｙ　テレビ
【図１】
2004062456.tif 000003
【図２】
2004062456.tif 000004
【図３】
2004062456.tif 000005
【図４】
2004062456.tif 000006
【図５】
2004062456.tif 000007
【図６】
2004062456.tif 000008
【図７】
2004062456.tif 000009
【図８】
2004062456.tif 000010
【図９】
2004062456.tif 000011
【図１０】
2004062456.tif 000012